(57)【要約】【課題】押下入力に必要な荷重に差なく、どの部位を押下したとしても確実にスイッチを入力させることができるスイッチ入力装置を提供すること。【解決手段】大面積に形成されたキートップ１１と、このキートップ１１を保持する受け板２１とを備え、この受け板２１には、スリット２３ａ、２３ｂを形成することにより舌片形状の側方舌片板部２４および中央舌片板部２６を設けられ、この側方舌片板部２４の先端には、キートップ１１の平行支点部１３を回動可能に保持する支点受け２２を配設される一方、中央舌片板部２６には、キートップ１１の裏面側との間でインターホン装置１００のＬＥＤ１０５の発光を案内するガイド１６を挟持する押ピン２５を立設されると共にスイッチ１０６を押下入力する押突起２７を立設されている。【選択図】図２
2010010148.tif 000002
【特許請求の範囲】
【請求項１】
ハウジングと、
前記ハウジングに設けられたスイッチと、
一端と他端を有し、前記一端が回動可能に前記ハウジングに支持された第１の回動部材と、
前記第１の回動部材と対向し、前記一端に対向する第１の領域と前記他端に対向する第２の領域とを有すると共に、前記他端において前記第１の回動部材に回動可能に支持された第２の回動部材と、を備えたことを特徴とするスイッチ入力装置。
【請求項２】
前記第２の回動部材の前記第１の領域が操作された場合は、前記第２の回動部材が回動して前記第１の回動部材に当接することにより、前記第１の回動部材を回動させて、前記スイッチをオン状態とし、
前記第２の回動部材の前記第２の領域が操作された場合は、前記第１の回動部材が回動し、前記スイッチをオン状態にする、ことを特徴とする請求項１記載のスイッチ入力装置。
【請求項３】
前記第１の回動部材の一部に設けられ、前記第２の回動部材の回動により前記第２の回動部材と当接し、押圧され、前記スイッチをオン状態にする当接部を備えたことを特徴とする請求項２記載のスイッチ入力装置。
【請求項４】
前記第１の回動部材は弾性部材で構成され、当接部以外の部分の撓みより前記当接部が撓むことにより、前記スイッチをオン状態にすることを特徴とする請求項３記載のスイッチ入力装置。
【請求項５】
前記第１の回動部材は板状に構成され、前記第１の回動部材の一部にスリットを設け、前記当接部を構成していることを特徴とする請求項４記載のスイッチ入力装置。
【請求項６】
前記１の回動部材の前記当接部に設けられ、前記第２の回動部材の回動により前記第２の回動部材と当接し、前記スイッチをオン状態にする第１の突起を備えたことを特徴とする請求項４あるいは５記載のスイッチ入力装置。
【請求項７】
前記２の回動部材の第１の回動部材に面する部分に設けられ、前記第２の回動部材の回動により前記当接部と当接し、前記スイッチをオン状態にする第２の突起を備えたことを特徴とする請求項４あるいは５記載のスイッチ入力装置。
【請求項８】
前記当接部を前記第１の回動部材の略中央に備えたことを特徴とする請求項３記載のスイッチ入力装置。
【請求項９】
前記第１の突起と前記第２の突起との少なくとも一方を前記第１の領域と前記第２の領域との境界に沿って複数配置することを特徴とする請求項６あるいは７記載のスイッチ入力装置。
【請求項１０】
前記第１の回動部材を回動させて、前記スイッチを押下し、前記スイッチをオン状態にすることを特徴とする請求項２から９いずれか１項記載のスイッチ入力装置。
【発明の詳細な説明】
【技術分野】
【０００１】
本発明は、スイッチ入力装置に関し、詳しくは、ハンズフリーボタンなどに採用される大型の押下する部位を有するものに関する。
【背景技術】
【０００２】
従来より、押ボタン部を押下する装置は、備える機能を使用するために多種多様なものに利用されており、例えば、インターホン装置などで搭載されているハンズフリー機能は、台所仕事などで両手がふさがっていてハンドセットを手で持てない状態のときに玄関子機から呼び出しがあった場合などに、ハンドセットを手で持つことなく、通話開始用の押ボタン部を押下するだけで通話可能状態にすることができ、この押ボタン部としては、両手がふさがっていても肘などで押下できるように大型にする必要がある。
【０００３】
このような押ボタン装置としては、例えば、図１０に示すように、肘などでも容易に押下することができるように、大型（大面積）のパネルにより作製したキートップ（押ボタン部）１を備える押ボタン装置がある。
【０００４】
この押ボタン装置のキートップ１は、一辺側端部に形成された支点部１ａを、装置本体のハウジング２の一部としてリジッドに形成されている対向面部２ａの支点受け２ｂに回動可能に保持されており、裏面側には、ハウジング２の対向面部２ａ方向に突出する押突起１ｂが内装基板３に配置されているスイッチ４に対向する部位に立設形成されている。
【０００５】
一方、ハウジング２は、対向面部２ａの外装近傍からスイッチ４に対向する部位までを舌片形状に切り欠いた押舌片部２ｃを形成されており、その押舌片部２ｃの先端にはスイッチ４方向に突出する押突起２ｄが立設形成されている。
【０００６】
このため、キートップ１が肘などにより押下されて回動するときには、押舌片部２ｃの基部がヒンジ的に機能して、押突起２ｄが押突起１ｂに押されてスイッチ４を押下入力することができるようになっている。
【０００７】
このような押ボタン装置には、備える機能、例えば、図１１に示すように、ハンズフリー機能の使用中であることを点灯表示する基板３に配置されたＬＥＤ（発光ダイオード）５の発光を外部に導くガイド６がキートップ１内に埋め込まれており、このガイド６を介してＬＥＤ５の点灯を視認可能にして、ハンズフリー動作中で室内のインターホン装置と屋外の玄関子機との間で通話状態であることを表示することができる。このガイド６は、キートップ１の裏面側に形成された溶着ピン１ｃ間に嵌め込んだ後に、その溶着ピン１ｃを加熱して先端を潰すことによってキートップ１内に埋め込み固定している。
【０００８】
また、スイッチを複数設け、操作ボタンを均一に操作できるようにしているものもある（例えば、特許文献１参照）。
【先行技術文献】
【特許文献】
【０００９】
【特許文献１】実開昭６３−１５３４４１号公報
【発明の概要】
【発明が解決しようとする課題】
【００１０】
しかしながら、このような従来の押ボタン装置にあっては、図１２に示すように、図中矢印で示すキートップ１の先端側を押下する場合には、そのキートップ１は小さな押下荷重でもピアノの鍵盤のように支点部１ａを中心にスムーズに動いて、押突起１ｂにより押舌片部２ｃの押突起２ｄを押してスイッチ４を押下入力することができるが、図１３に示すように、図中矢印で示すキートップ１の支点部１ａ側を押下する場合には、支点部１ａからの距離が短いので、同様なモーメントで押下するには大きな押下荷重を掛ける必要がある。このために、押舌片部２ｃの押突起２ｄをスイッチ４を入れるまで押下しきれない場合があるという問題があった。
【００１１】
また、溶着ピン１ｃの加熱溶着によるガイド６の固定は、加熱作業を伴うために作業工程が複雑であると共に、作業のばらつきが大きく、溶着ピン１ｃの先端が潰し足りない場合や潰し過ぎた場合には、溶着ピン１ｃからガイド６が脱落してしまうなどの信頼性に欠けるという問題があった。
【００１２】
本発明は、このような問題を解決するためになされたもので、押下入力に必要な荷重に差なく、どの部位を押下したとしても確実にスイッチを入力させることができる、という優れたスイッチ入力装置を提供するものである。
【課題を解決するための手段】
【００１３】
本発明のボタン装置は、ハウジングと、ハウジングに設けられたスイッチと、一端と他端を有し、一端が回動可能にハウジングに支持された第１の回動部材と、第１の回動部材と対向し、一端に対向する第１の領域と他端に対向する第２の領域とを有すると共に、他端において第１の回動部材に回動可能に支持された第２の回動部材と、を備えた構成を有している。
【００１４】
この構成により、第２の領域にある第１の支持部を中心として第２の回動部材を回動させる第１の領域を用いる操作と、第１の領域にあるハウジングに支持された部分を中心として第２の回動部材が第１の回動部材の回動を伴って回動する第２の領域を用いる操作とにより第２の領域と第１の領域のどちらを操作しても、スイッチを入力することができる。
【発明の効果】
【００１５】
以上説明したように、本発明は、スイッチの入力動作となり得るように押ボタン部の全面を揺動可能にすることができ、押下する部位によってスイッチを入力するための押下力に差が生じてしまうことがない。
【００１６】
したがって、押ボタン部のいずれの部位を押下しても確実にスイッチを入力させることができる、という優れたスイッチ入力装置を提供することができる。
【図面の簡単な説明】
【００１７】
【図１】本発明に係る押ボタン装置の一実施形態を採用するインターホン装置の一例を示す図であり、その配置位置を示す平面図
【図２】その分解斜視図
【図３】その図１におけるＡ−Ａ断面図
【図４】その図１におけるＢ−Ｂ断面図
【図５】その図１におけるＣ−Ｃ断面図
【図６】その作用を説明する図３に対応する図
【図７】その作用を説明する図４に対応する図
【図８】その作用を説明する図３に対応する図
【図９】その作用を説明する図４に対応する図
【図１０】その従来技術を示す図３に対応する図
【図１１】その図５に対応する図
【図１２】その課題を説明する図６、図７に対応する図
【図１３】その課題を説明する図８、図９に対応する図
【発明を実施するための形態】
【００１８】
以下、本発明を図面に基づいて説明する。図１〜図９は本発明に係る押ボタン装置の一実施形態を採用するインターホン装置の一例を示す図である。
【００１９】
図１において、押ボタン装置１０は、インターホン装置１００のハンドセット１０１の反対側の右下角部に配置されて、そのハンドセット１０１を手で持てない状況のときでもキートップ（押ボタン部）１１を押下するだけで通話可能な状態にスイッチ入力するものであり、この押ボタン装置１０は、キートップ１１を両手がふさがっていても肘などで押下できるように大型（大面積）パネルにより形成されると共に、図２に示すように、このキートップ１１をインターホン装置１００のハウジング１０２の右下角部を切り欠いた部位に両側方を固設されている受け板２１により揺動可能に保持してスイッチ入力することができるようになっている。
【００２０】
キートップ１１には、インターホン装置１００の上部側一辺の端部から外方に延長して前面側に湾曲することによりハウジング１０２に係合して脱落してしまうことを防止する係合爪１２が互いに離隔する両側辺側に形成されていると共に、図３に示すように、その係合爪１２の近傍の裏面側には、先端を半円形に形成された板形状の一対の平行支点部１３を立設・形成されている。これに対して、受け板２１には、キートップ１１の平行支点部１３を溝形状内に挟んで回動可能に保持する支点受け（支点保持部）２２が対応する部位に形成されている。したがって、キートップ１１は、インターホン装置１００が壁に垂直設置されても押ボタン装置１０から脱落してしまうことがなく、下側を押下されたときには支点受け２２により保持されている平行支点部１３を中心に回動することができる。
【００２１】
受け板２１は、両側辺の内側上部から平行なスリット２３ａ、２３ｂを入れられることにより舌片形状に形成されて基部側（本実施形態ではスリットを上下から入れられているので中央部）をヒンジ的に機能させ先端側を揺動させることができる一対の側方舌片板部（板状保持片部）２４を配置されており、この側方舌片板部２４の先端に支点受け２２を形成されている。したがって、キートップ１１は、平行支点部１３を回動可能に支点受け２２により保持されている上側を押下された場合にも、側方舌片板部２４（受け板２１）が揺動することにより、支点受け２２自体が平行支点部１３と共に押下されることができる。
【００２２】
また、キートップ１１には、図４および図５に示すように、インターホン装置１００の内装する基板１０３に配置されてハンズフリー機能の動作中に点灯するＬＥＤ１０５の発光を外部に導くガイド１６が、受け板２１内の開口２１ａを貫通して中央部に露出するように埋め込まれており、このガイド１６は、ＬＥＤ１０５の光を導く案内部の両側方に梁出板部１７を一体形成されて、この梁出板部１７に開口する穴内にキートップ１１裏面側から突出する突起１８が嵌入して平面方向に位置決めされると共に、受け板２１に立設されている一対の押ピン２５によりキートップ１１裏面との間に挟持されて、その中央部に露出する状態を維持されるように組み立てられている。
【００２３】
この受け板２１は、上部から下部近傍に至るまで形成されているスリット２３ｂにより舌片形状に切り出された中央舌片板部（板状入力片部）２６が、キートップ１１の平行支点部１３を先端側の支点受け２２により揺動かつ回動可能に保持する側方舌片板部２４の間に配置されており、この中央舌片板部２６にキートップ１１方向に突起形状に突出する押ピン２５を一体形成されている。したがって、受け板２１は、側方舌片板部２４と同様に、中央舌片板部２６も先端側を揺動可能な可撓（弾性）性を有することになって、キートップ１１が押下されたときには、ガイド１６の梁出板部１７および押ピン２５を介してその押下力を中央舌片板部２６に伝達されて揺動することにより、そのキートップ１１を押下することができる。
【００２４】
そして、受け板２１は、インターホン装置１００の基板１０３内に配置されている通話開始用のスイッチ１０６に対向するように突出する押突起（入力部）２７が中央舌片板部２６の揺動先端側に形成されており、この受け板２１は、中央舌片板部２６のみが揺動するときだけでなく、側方舌片板部２４が揺動するときにも、その中央舌片板部２６もつれて揺動することにより、スイッチ１０６を押下入力することができるようになっている。
【００２５】
このため、キートップ１１の下側を押下されたときには、図６に示すように、キートップ１１は平行支点部１３を支点にピアノの鍵盤のように回動するが、このときには、図７に示すように、キートップ１１と共にガイド１６が押し下げられて、押ピン２５を介して押下力を中央舌片板部２６に加えられることによって、その中央舌片板部２６が下方に撓むことになり、押突起２７がスイッチ１０６を押下入力することができ、ハンズフリー機能を作動させて通話可能な状態にすることができる。
【００２６】
また、キートップ１１の上側を押下されたときには、従来では、キートップ１１が平行支点部１３を支点にピアノの鍵盤のように回動させるにはキートップ１１の下側を押下する場合よりも大きな荷重を加える必要があるが、図８に示すように、そこまでの荷重を加える前に、上側の平行支点部１３を介して支点受け２２が押下されて側方舌片板部２４が下方に撓んでキートップ１１全体が押し下げられる。このとき、図９に示すように、キートップ１１の下側を押下されたときと同様に、キートップ１１と共にガイド１６が押し下げられて、中央舌片板部２６が下方に撓んで押ピン２５と押突起２７を介してスイッチ１０６を押下入力して通話可能な状態にすることができる。
【００２７】
なお、ガイド１６には、中央舌片板部２６がキートップ１１の押下に抗する方向の弾性反力（復元力）を押ピン２５を介して加えられることになって、常に、キートップ１１の裏面側に位置決めされる状態で挟持することができ、ガイド１６をがたつかせてしまうことがない。
【００２８】
このように本実施形態においては、キートップ１１の平行支点部１３を保持する支点受け２２を側方舌片板部２４の先端に形成することにより、キートップ１１の上側を押下されたときにも、その側方舌片板部２４を中央舌片板部２６と共に撓ませることができ、キートップ１１のどの部分を押下しても極端に大きな押下荷重を必要とせずに（極端な押下荷重の差なく）、確実にスイッチ１０６を押突起２７により押下入力してハンズフリー機能を作動させることができる。
【００２９】
また、キートップ１１の裏面側と中央舌片板部２６の押ピン２５との間にガイド１６の梁出板部１７を位置決め挟持することにより、溶着作業などをすることなく、また、脱落する心配もなく、ガイド１６をキートップ１１の中央に露出する状態に安定して維持することができる。
【００３０】
この結果、作製する際の作業性や信頼性に優れ、押下入力する個所を指定することのない、優れた押ボタン装置１０を提供することができる。
【産業上の利用可能性】
【００３１】
本発明は、ハンズフリーボタンなどに採用される大型の押下する部位を有するものに適用できる。
【符号の説明】
【００３２】
１０    押ボタン装置
１１    キートップ
１２    係合爪
１３    平行支点部
１６    ガイド
１７    梁出板部
１８    突起
２１    受け板
２４    側方舌片板部
２５    押ピン
２６    中央舌片板部
２７    押突起
１００    インターホン装置
１０２    ハウジング
１０３    基板
１０５    ＬＥＤ
１０６    スイッチ
【図１】
2010010148.tif 000003
【図２】
2010010148.tif 000004
【図３】
2010010148.tif 000005
【図４】
2010010148.tif 000006
【図５】
2010010148.tif 000007
【図６】
2010010148.tif 000008
【図７】
2010010148.tif 000009
【図９】
2010010148.tif 000010
【図１０】
2010010148.tif 000011
【図１１】
2010010148.tif 000012
【図１２】
2010010148.tif 000013
【図１３】
2010010148.tif 000014
【図８】
2010010148.tif 000015